(57)【要約】【課題】  封止具を開け操作するために開封時にシュリンクラベルの上部を切離除去する構成のシュリンクラベル付きガラス瓶において、ガラス瓶の割れを開封時に容易に発見することができるシュリンクラベル付きガラス瓶を提供する。【解決手段】  開封時に横切離線２０によってシュリンクラベル２の上部を下部から切離することでキャップ３を開けることができる。起立状態で並置した際に隣接するガラス瓶同士が特定の箇所で接するように瓶本体１の胴部１１には側方に突出したコンタクト部１３が周設され、横切離線２０はコンタクト部１３より下方に形成されて開封時にシュリンクラベル２の上部を切離するとコンタクト部１３が表出する。【選択図】  図１
2005186991.tif 000002
【特許請求の範囲】
【請求項１】
瓶本体の口部が封止具で封止され、該瓶本体の胴部から封止具にかけてシュリンクラベルで覆われ、該シュリンクラベルには開封用の横切離線が設けられ、開封時に横切離線によってシュリンクラベルの上部を下部から切離することで封止具を開けることができるシュリンクラベル付きガラス瓶であって、
起立状態で並置した際に隣接するガラス瓶同士が特定の箇所で接するように瓶本体の胴部には側方に突出したコンタクト部が周設され、横切離線はコンタクト部より下方に形成されていることを特徴とするシュリンクラベル付きガラス瓶。
【請求項２】
横切離線は、シュリンクラベルを貫通するミシン目であってコンタクト部の直下に位置している請求項１記載のシュリンクラベル付きガラス瓶。
【請求項３】
コンタクト部は胴部の上端部に位置している請求項２記載のシュリンクラベル付きガラス瓶。
【請求項４】
コンタクト部における肉厚がその周囲の肉厚よりも薄い請求項１乃至３の何れかに記載のシュリンクラベル付きガラス瓶。
【発明の詳細な説明】
【技術分野】
【０００１】
本発明は、ガラス瓶の胴部にシュリンクラベルが装着されたシュリンクラベル付きガラス瓶に関する。
【背景技術】
【０００２】
一般にガラス瓶の胴部には紙製のラベルが装着されることが多いが、表示面積の拡大や、ガラス瓶が割れた際に飛散しにくいようにすること等を目的として、紙製のラベルに代えてシュリンクラベルを装着することもある。また、胴部のみならずガラス瓶の口部を封止する封止具としてのキャップをも覆うように、ガラス瓶の周囲略全体にシュリンクラベルを装着して開封前にキャップが開けられないようにした封緘性を有する構造のものもある。
【０００３】
かかる構造のシュリンクラベルにはキャップの下方に開封用の横切離線が設けられており、開封時に横切離線を切離することによってキャップが露出し、そのキャップを開けることで例えば内容物としての飲料を飲むことができる。
【０００４】
このような構造のものは、ガラス瓶の略全体をシュリンクラベルで覆っているのでガラス瓶が割れにくく、また、割れた場合にも破片が飛散しにくく、更に開封後もガラス瓶に大きな表示面積を有するラベルを残すことができるという利点がある。
【発明の開示】
【発明が解決しようとする課題】
【０００５】
しかしながら、上記シュリンクラベル付きガラス瓶にあっては、流通過程においてガラス瓶に仮に割れが生じた場合、紙製のラベルに比べて被覆面積が大きいため、その割れが発見されにくい。特に略全面に印刷を施したシュリンクラベルによって胴部からキャップまでを覆う構造の場合は、ガラス瓶（瓶本体）がほとんど露出していないため、ガラス瓶に生じた亀裂を直接目視することが困難となる。しかも、開封時にシュリンクラベルのキャップ近傍部分のみを切離してガラス瓶から除去するので、最も割れの発生しやすい箇所である胴部は依然としてシュリンクラベルで覆われたままであり、その胴部に割れが発生しているか否かを開封後においても発見できない場合がある。
【０００６】
それゆえに本発明は、上記従来の問題に鑑みてなされ、封止具を開け操作するために開封時にシュリンクラベルの上部を切離除去する構成のシュリンクラベル付きガラス瓶において、ガラス瓶の割れを開封時に容易に発見することができるシュリンクラベル付きガラス瓶を提供することを課題とする。
【課題を解決するための手段】
【０００７】
本発明は、上記課題を解決すべくなされたものであり、本発明に係るシュリンクラベル付きガラス瓶は、瓶本体の口部が封止具で封止され、該瓶本体の胴部から封止具にかけてシュリンクラベルで覆われ、該シュリンクラベルには開封用の横切離線が設けられ、開封時に横切離線によってシュリンクラベルの上部を下部から切離することで封止具を開けることができるシュリンクラベル付きガラス瓶であって、起立状態で並置した際に隣接するガラス瓶同士が特定の箇所で接するように瓶本体の胴部には側方に突出したコンタクト部が周設され、横切離線はコンタクト部より下方に形成されていることを特徴とする。
【０００８】
該構成のシュリンクラベル付きガラス瓶にあっては、瓶本体の胴部にコンタクト部が形成されているので、該ガラス瓶を起立状態で並置すると、ガラス瓶同士は互いのコンタクト部同士がシュリンクラベルを介して当たることとなる。即ち、常にコンタクト部という特定の箇所で当たるので、例えば輸送中にガラス瓶が割れる場合には特にこのコンタクト部で割れが生じやすくなる。そして、開封時に横切離線に沿ってシュリンクラベルの上部を下部から切離することによって横切離線より上方にあるコンタクト部が表出するので、仮にコンタクト部に割れが生じていた場合にはその割れを封止具を開け操作する前に容易に発見することができる。
【０００９】
特に、横切離線がシュリンクラベルを貫通するミシン目であってコンタクト部の直下に位置していることが好ましい。横切離線がコンタクト部から下方に離れて設けられた場合に比して、開封時に除去するシュリンクラベルの上部の面積が小さくなり、開封後に瓶本体に残るシュリンクラベルの下部の面積は大きくなる。従って、開封後も表示面積として使用できるシュリンクラベルの下部の面積を大きくすることができる。また、コンタクト部は側方に突出しているので、突出した部分の直下に横切離線を設けることで横切離線がコンタクト部で保護されることとなり、開封前において横切離線が不用意に切断するということが防止される。
【００１０】
更に、コンタクト部は胴部の上端部に位置していることが好ましい。開封後において胴部の大部分にシュリンクラベルが残存するので大きな表示面積が確保できる。
【００１１】
また、コンタクト部における肉厚がその周囲の肉厚よりも薄いことが好ましく、他の部分において割れが発生することをより一層防止することができる。
【発明の効果】
【００１２】
本発明のシュリンクラベル付きガラス瓶にあっては、仮に割れが生じるとしてもコンタクト部という特定箇所で生じるようにすると共に開封時にコンタクト部を表出させるようにしたことで、ガラス瓶の割れを開封時に容易に発見することができる。
【発明を実施するための最良の形態】
【００１３】
以下、本発明に係るシュリンクラベル付きガラス瓶の一実施形態について図面を参酌しつつ説明する。
本実施形態におけるシュリンクラベル付きガラス瓶は、図１に示すようにガラス製の瓶本体１の周囲略全体が筒状のシュリンクラベル２で覆われたものであり、前記瓶本体１と、上方に開口した瓶本体１の口部１０を封止すべく口部１０に螺着された封止具としてのキャップ３と、該キャップ３から瓶本体１の胴部１１にかけて瓶本体１の周囲略全体を覆うように装着されたシュリンクラベル２とを備えている。
【００１４】
瓶本体１は、図２に示すように、上方に開口しその周囲にネジ部が形成されてキャップ３が螺着される口部１０と、該口部１０から下方に向けて徐々に大径となった肩部１２と、該肩部１２の下側に位置してその上端部を除いて径略一定な胴部１１とを有している。
【００１５】
また、胴部１１の上端部には、胴部１１の他の部分よりも側方に突出したコンタクト部１３が周設されている。胴部１１が横断面視略円形であるのでコンタクト部１３も環状に形成されており、コンタクト部１３の縦断面は円弧状である。コンタクト部１３における肉厚は、胴部１１の他の部分の肉厚よりも薄くなっていて強度上他の部分よりも弱くなっている。
【００１６】
また、前記シュリンクラベル２は、ガラス瓶の周方向（筒状の周方向）に４０〜８０％の熱収縮率を有する種々の公知の熱収縮性を有するプラスチックフィルムからなり、図１に示すように、開封用の切離線が形成されている。該切離線は、シュリンクラベル２の上部２ａを下部２ｂから切離すべく周方向全周に形成された横切離線２０と、シュリンクラベル２の上部２ａからその一部を開封用の帯状片２２として切離すべくシュリンクラベル２の上端から横切離線２０まで達する左右一対の縦切離線２１とからなる。横切離線２０は、コンタクト部１３より下側であればよいが、本実施形態ではコンタクト部１３の直下に設けている。尚、図２に示すように、左右一対の縦切離線２１によって他の部分と区画される開封用の帯状片２２の上端２２ａは、開封時の摘み部となるようにシュリンクラベル２の上端から突出している。切離線は種々の公知のものを採用可能であるが、例えば、貫通孔が一定間隔毎に形成されたミシン目とすることができる。
【００１７】
以上のように構成されたシュリンクラベル付きガラス瓶には内容物として飲料等の液体が充填され、キャップ３を装着した後にシュリンクラベル２でキャップ３を含めて覆われるので、開封前においてキャップ３を開けることはできない。そして、例えば箱に複数本起立状態で並置して収納され、搬送されるが、その際、図２に二点鎖線にて示すように、隣接するガラス瓶同士は、コンタクト部１３同士で当接することとなる。従って、輸送中の衝撃等がガラス瓶に作用して仮に瓶本体１が割れるとすれば、このコンタクト部１３において割れが発生する確率が極めて高い。上記構造ではシュリンクラベル２が瓶本体１を保護しているので瓶本体１の周囲が露出するものに比して構造上割れは発生しにくく、割れが発生した場合でも瓶本体１の飛散を効果的に防止することができるが、コンタクト部１３を設けているので胴部１１の何れの箇所も同じ確率で割れが発生するのではなく、割れが発生する場合にはほとんどの場合このコンタクト部１３で発生することになる。特に、コンタクト部１３の肉厚をその周囲の肉厚よりも薄くしているので、割れが発生する場合にコンタクト部１３で発生する確率を高めることができる。
【００１８】
そして、開封の際、まず摘み部となる帯状片２２の上端２２ａを把持して下方に引っ張ることで左右の縦切離線２１を切断してその間の帯状片２２を他の部分から切り離した後、横切離線２０を切断しながらシュリンクラベル２の上部２ａを下部２ｂから切り離しつつ瓶本体１から剥がしていく。このようにシュリンクラベル２の上部２ａを瓶本体１から除去すると、横切離線２０より上方の部分が全て表出する。即ち、コンタクト部１３、肩部１２、キャップ３が装着された口部１０が表出する。従って、通常の場合はキャップ３を外して口部１０から飲料等を飲むことができる。それに対して仮にコンタクト部１３に割れが発生している場合には、コンタクト部１３が表出しているので容易にコンタクト部１３における割れを発見することができる。
【００１９】
尚、本実施形態では、コンタクト部１３の直下に横切離線２０を形成したが、コンタクト部１３の直下には限られずコンタクト部１３よりも下側に設ければ開封時にコンタクト部１３を表出させることができる。但し、コンタクト部１３の直下に横切離線２０を設けると、開封前においてコンタクト部１３によって横切離線２０を保護でき、開封後において瓶本体１に残るシュリンクラベル２の下部２ｂの面積を大きくすることができるという利点がある。特に、コンタクト部１３の直下に横切離線２０（ミシン目）を設けることにより、コンタクト部１３に割れが発生した場合にその割れがミシン目の形成位置に達しやすくガラス瓶の割れと同時にミシン目が破断しやすくなるのでその割れを開封前に発見しやすくなるという利点がある。
【００２０】
尚、上記実施形態では、胴部１１の上端部のみにコンタクト部１３を設けたが胴部１１の下端部にも同様にコンタクト部１３を設けてもよい。胴部１１の上下両端部にコンタクト部１３を設ける場合には上端部のコンタクト部１３の突出量を下端部のそれよりも大きくして上端部のコンタクト部１３が優先的に接触するようにすることが好ましい。また、コンタクト部１３を一箇所設ける場合に胴部１１の上端部ではなく胴部１１の中央部に設けてもよい。但し、胴部１１の中央部より上側に設けることが好ましい。更に、コンタクト部１３の突出形状も適宜設計変更可能であって上述したような円弧状には限定されない。
【００２１】
また更に、瓶本体１の形状についても変更可能であり、横断面が円形のものの他、角形であってもよい。更に、封止具としてキャップ３を用いた場合を説明したが、キャップ３に代えて栓体を使用してもよい。ガラス瓶の内容物も飲料等の液体に限らず粘性を有する食品や粉状物であってもよい。
【図面の簡単な説明】
【００２２】
【図１】本発明の一実施形態に係るシュリンクラベル付きガラス瓶を示す正面図。
【図２】図１のＰ−Ｐ線断面図。
【符号の説明】
【００２３】
１…瓶本体、２…シュリンクラベル、２ａ…上部、２ｂ…下部２ｂ、３…キャップ、１０…口部、１１…胴部、１２…肩部、１３…コンタクト部、２０…横切離線、２１…縦切離線、２２…帯状片
【図１】
2005186991.tif 000003
【図２】
2005186991.tif 000004